(57)【要約】【課題】美観を損ねることなくＬＥＤ光源からの光を照射することが可能となり、広告看板を増設、又は減設した場合であっても、比較的簡素な手法にてＬＥＤ光源からの光を効率よく当該看板面に照射することができる看板用照明装置を提供する。【解決手段】看板用照明装置１００は、複数のＬＥＤ光源１１０が長手方向に整列配置された横長のＬＥＤ光源実装基板１２０と、ＬＥＤ光源１１０からの光を前面側に反射する反射板１３０と、装置本体１００Ａの上端部に沿って設けられ、前方に突出した反射板１３０を回動可能に支持すると共に、反射板１３０が反射する光の反射角度を調整する角度調整部１４０と、を備える。角度調整部１４０は、照射対象看板の全照射領域のうち、ＬＥＤ光源１１０側から第１領域までを照射するよう調節する第１調節点と、第１領域を照射しつつ、第１領域の外方の第２領域までを照射するよう調節する第２調節点と、を有する。【選択図】図１
2014002259.tif 000002
【特許請求の範囲】
【請求項１】
照射対象看板の外縁部に配置され、
長尺状に複数配置されたＬＥＤ光源と、
前記ＬＥＤ光源が発光した光を前記照射対象看板側に反射する反射板と、
前記ＬＥＤ光源からの直接光及び前記反射板により反射された反射光を、前記照射対象看板の所定領域面に照射するように調節する調節手段と、を備え、
前記調節手段は、
前記照射対象看板の全照射領域のうち、前記ＬＥＤ光源側から第１領域までを照射するよう調節する第１調節点と、
前記第１領域を照射しつつ、前記第１領域の外方の第２領域までを照射するよう調節する第２調節点と、を有することを特徴とする看板用照明装置。
【請求項２】
前記調節手段は、装置本体に固定された円筒部材と、前記反射板を前記円筒部材に回動可能に支持する反射板支持部材と、前記第１調節点及び前記第２調節点となる特定の回動角度において、前記反射板支持部材を前記円筒部材に固定する位置決め部材と、を備えることを特徴とする請求項１記載の看板用照明装置。
【請求項３】
前記調節手段は、前記反射板による反射光が、前記ＬＥＤ光源側から外方側に１／ｎ（ｎは任意の自然数）単位の面積比で照射されるよう調整することを特徴とする請求項１又は２に記載の看板用照明装置。
【請求項４】
請求項１から３のいずれかに記載の前記看板用照明装置を複数連設することで、照射対象看板全体を照射自在とすることを特徴とする看板用照明装置。
【請求項５】
前記看板用照明装置は、照射対象看板の上端部に配置されており、
前記第１領域の下方に前記第２領域が存在することを特徴とする請求項１ないし４のいずれかに記載の看板用照明装置。
【請求項６】
前記照射対象看板は、天地方向の高さ６０００ｍｍ以上、横幅４０００ｍｍ以上の寸法を有する大型看板であり、且つ、少なくとも前記第１領域及び前記第２領域に配置されるのは別々の看板であることを特徴とする請求項５に記載の看板用照明装置。
【請求項７】
前記ＬＥＤ光源は、
複数のベアチップが長手方向に整列配置された横長のベアチップ実装基板と、
前記ベアチップ実装基板上のベアチップを覆い、該ベアチップから発せられる光により励起されると当該光と異なる波長の光を発する無機化蛍光体層と、
前記無機化蛍光体層と前記ベアチップとの間に形成された発光体側真空断熱層と、
前記無機化蛍光体層の外側を覆い、外部からの紫外光の侵入を阻止するＵＶカット部材と、
前記ＵＶカット部材と前記無機化蛍光体層との間に形成されたカット部材側真空断熱層と、を備えることを特徴とする請求項１ないし６のいずれかに記載の看板用照明装置。
【請求項８】
装置本体は、ピン状の鳥類よけ装置を備えることを特徴とする請求項１ないし７のいずれかに記載の看板用照明装置。 
【発明の詳細な説明】
【技術分野】
【０００１】
本発明は、屋外に設置される広告看板などの看板用照明装置に関する。
【背景技術】
【０００２】
屋外広告看板は、設置位置、形状、使用材料、照明方法、表示方法などによって分類することができる。例えば、建物の屋上等に設置される屋上広告看板、建物の壁面に設置される壁面広告看板、建物から突き出して設置される突出し看板は、その代表的なものである。
これら屋外広告看板は、夜間には、照明装置によって看板の外側から（外照式照明）又は看板の内側から（内照式照明）照明され、夜間における広告効果の達成が図られる。
【０００３】
屋外に設置される広告看板などをスポットライトで外側から照明する場合、広告看板の前方へ突出する支持アームの先端に水銀ランプ又はハロゲンランプ等を装着し、広告看板の被照面を前方から照射する外照式照明装置が一般的である（例えば特許文献１参照）。
【０００４】
また、特許文献２には、水銀ランプに代えて、直線型の蛍光ランプをスポットライトとして採用し、さらに、角度調節手段を介して蛍光ランプを支持アームに支持した外照式照明装置が記載されている。
【０００５】
なお、ＬＥＤ光源を用いた技術としては、特許文献３が挙げられる。特許文献３には、看板の内側にＬＥＤ光源を設け、内側から照射する内照式照明装置が記載されている。
【先行技術文献】
【特許文献】
【０００６】
【特許文献１】特開平５−２７３９２６号公報
【特許文献２】特開２００５−７０３７９号公報
【特許文献３】特開２００２−１７５０３１公報
【発明の概要】
【発明が解決しようとする課題】
【０００７】
しかしながら、特許文献１や２のように従来の外照式照明装置にあっては、以下のような課題があった。
【０００８】
特許文献１記載の照明装置は、水銀ランプの形状が丸形スポットであるため、看板面に丸い斑点が映り込んでしまうという欠点がある。また、看板面を均一に照らすために、水銀ランプを、看板面から前方に突出しているので、美観を損ねるばかりかランプの取り替えに手間がかかる欠点があるばかりでなく、看板面からの突出する距離が長いために敷地境界を越えて道路や敷地に越境することが非常に多い。また、水銀ランプは、発光した光のうち３０〜４０％が看板面以外へ漏れ、電力ロスが多い欠点がある。
【０００９】
特許文献２記載の照明装置は、直線型の蛍光灯ランプであるため、水平方向に細長い広告看板には適しているものの、天地寸法の大きい屋外用広告看板には、輝度が不足して不向きである。また、角度調節手段により照明角度を調整したとしても、蛍光灯ランプは光量自体が小さいので屋外用広告看板の看板面の全面にわたって明るく照らすことは困難である。
【００１０】
このため、屋外用広告看板の照明装置としては、特許文献１記載の照明装置のように、上記各欠点があったとしても、水銀ランプによって看板前方から照射する照明装置が主流となっている。
【００１１】
ところで、屋外広告看板は、看板上に貼り付けられた広告媒体については期間ごとに取り換えられる。看板それ自体は建物の屋上、建物の壁面などに恒常的に設置されることが一般的である。また、看板を照明する照明装置についても、看板の支持構造体に取付固定される。このため、屋外広告看板及び照明装置は、一旦、建物の屋上や壁面に設置されると、費用対効果の観点から、簡単に取り換えるような運用はなされない。したがって、特許文献１記載の照明装置のように、技術的に目立った改良がなされないまま使用され続けているのが実情である。
【００１２】
また、後述する図７に示すように、屋外広告看板には、例えば、上側に看板面が１面、下側に看板面が１面、設けられたものがあり、上下にわたって２面（場合によっては３面以上の複数面）からなる看板面が設けられるものもある。この場合、上側の看板面の方が目立ち且つ優位性を感じられるため、上側の看板面の方が広告料は高く、広告効果も高い。
【００１３】
しかしながら、特許文献１記載の水銀ランプを用いた場合、本来ならば、最も上側の看板面を適切に照らさなければならないはずなのに、看板面に丸い斑点が映り込んでしまい、美観を損ねることになってしまう。しかも、複数面の看板面を有する看板の場合、広告看板を増設、又は減設するたびに、水銀ランプの角度を調整しなければならない。
【００１４】
一方、特許文献２記載の蛍光ランプを用いた場合、輝度が足りないため、上下にわたって複数面の看板面を有する看板の場合、下側の看板面を照らすことが不可能になってしまう。
【００１５】
なお、特許文献３記載の内照式照明は、そもそも看板表示面の内側から照射する方法であり、外照式照射方法とは根本的に異なる。そのため、特許文献３記載の内照式照明が知られているとしても、上述のような、屋外広告看板やそれに類する看板において生じるはずの、広告看板を増設、又は減設に関する課題がそもそも生じない。もちろん、その課題を解決する手段についての記載は特許文献３には無い。
【００１６】
本発明の目的は、美観を損ねることなくＬＥＤ光源からの光を照射することが可能となり、広告看板を増設、又は減設した場合であっても、比較的簡素な手法にてＬＥＤ光源からの光を効率よく当該看板面に照射することができる看板用照明装置を提供することにある。
【課題を解決するための手段】
【００１７】
本発明に係る看板用照明装置は、照射対象看板の外縁部に配置され、長尺状に複数配置されたＬＥＤ光源と、前記ＬＥＤ光源が発光した光を前記照射対象看板側に反射する反射板と、前記ＬＥＤ光源からの直接光及び前記反射板により反射された反射光を、前記照射対象看板の所定領域面に照射するように調節する調節手段と、を備え、前記調節手段は、前記照射対象看板の全照射領域のうち、前記ＬＥＤ光源側から第１領域までを照射するよう調節する第１調節点と、前記第１領域を照射しつつ、前記第１領域の外方の第２領域までを照射するよう調節する第２調節点と、を有する構成を採る。
【発明の効果】
【００１８】
本発明によれば、美観を損ねることなくＬＥＤ光源からの光を照射することが可能となり、広告看板を増設、又は減設した場合であっても、比較的簡素な手法にてＬＥＤ光源からの光を効率よく当該看板面に照射することができる。
【図面の簡単な説明】
【００１９】
【図１】本発明の実施の形態１に係る看板用照明装置の構成を示す斜視図である。
【図２】上記実施の形態１に係る看板用照明装置のＬＥＤ光源のパッケージ構造を示す模式図である。
【図３】上記実施の形態１に係る看板用照明装置のＬＥＤ光源実装基板の構成を示す図である。
【図４】上記実施の形態１に係る看板用照明装置のＬＥＤ光源実装基板の他の構成を示す図である。
【図５】上記実施の形態１に係る看板用照明装置の反射板の反射角度を説明する要部側面図である。
【図６】上記実施の形態１に係る看板用照明装置の使用方法を説明する側面図である。
【図７】上記実施の形態１に係る看板用照明装置の使用方法を説明する正面図である。
【図８】上記実施の形態１に係る看板用照明装置の使用方法を説明する側面図である。
【図９】上記実施の形態１に係る看板用照明装置と従来の照明装置とを対比して示す模式図である。
【図１０】本発明の実施の形態２に係る看板用照明装置の構成を示す斜視図である。
【図１１】本発明の実施の形態３に係る看板用照明装置の構成を示す要部側面図である。
【発明を実施するための形態】
【００２０】
以下、本発明の実施の形態について図面を参照して詳細に説明する。
【００２１】
（実施の形態１）
図１は、本発明の実施の形態１に係る看板用照明装置の構成を示す斜視図である。本実施の形態は、看板用照明装置を屋外に設置される広告看板の照明装置に適用した例である。
【００２２】
図１に示すように、看板用照明装置１００は、長尺状の装置本体１００Ａと、装置本体１００Ａの前面側（照射対象看板側）に取り付けられ、複数のＬＥＤ光源１１０が長手方向に整列配置された横長のＬＥＤ光源実装基板１２０と、ＬＥＤ光源１１０からの光を前面側に反射する反射板１３０と、装置本体１００Ａの上端部に沿って設けられ、前方に突出した反射板１３０を回動可能に支持すると共に、反射板１３０が反射する光の反射角度を調整する角度調整部１４０（調節手段）と、を備えて構成される。
【００２３】
装置本体１００Ａは、ＬＥＤ光源１１０からの熱を外部に放熱する放熱部材としての機能を併せ持つ。
【００２４】
看板用照明装置１００は、看板１０の上端／下端のいずれか一方側、又は左端／右端のいずれか一方側（本実施の形態では、上端部側）に沿ってやや上方位置に配置され、図示しない取り付け金具により取り付け固定される。看板用照明装置１００は、看板１０にどのような方法で取り付けられてもよい。例えば、屋外に設置される広告看板に使用する場合、看板用照明装置１００は、広告看板の取り付け構造体に支持金具等で固定する。あるいは、広告看板とは別体である壁面等に固定してもよい。また、看板の外枠に直接取り付ける態様でもよい。看板用照明装置１００を看板１０の端部に設置した場合、反射板１３０は、看板１０の端部の上方位置から看板面の内方へ突出した状態となる。なお、ＬＥＤ光源実装基板１２０は、装置本体１００Ａ前面に、あらかじめ傾けて装着されているが、傾きがない状態で装着されてもよい。また、装置本体１００Ａの両側面にカバーを取り付けてもよい。
【００２５】
（ＬＥＤ光源１１０）
図２は、ＬＥＤ光源１１０のパッケージ構造を示す模式図であり、図２（ａ）は、その平面図、図２（ｂ）は、図２（ａ）のＡ−Ａ矢視断面図である。図２（ｃ）は、他のＬＥＤ光源のパッケージを示す断面図である。
【００２６】
図２に示すように、ＬＥＤ光源１１０は、例えば表面実装型ＬＥＤパッケージである。ＬＥＤ光源１１０は、セラミックや樹脂で成形されたキャビティ１１１と、キャビティ１１１に実装された複数のＬＥＤチップ（ベアチップ）１１２と、キャビティ１１１の内側の面に形成され、ＬＥＤチップ１１２が発光した光を前面に反射するリフレクタ１１３と、キャビティ１１１内を充填する蛍光体含有のシリコン樹脂からなる封止材１１４と、を備える。また、図２（ｂ）に示すように、エポキシやシリコン樹脂あるいはガラスなどからなるレンズ１１５を取り付けてもよく、レンズ１１５装着により指向性を高めることができる。なお、上記パッケージ上のアノード電極、カソード電極、それらとＬＥＤチップとを接続する金属ワイヤなどの図示は省略している。
【００２７】
ＬＥＤチップ１１２は、高輝度青色ＬＥＤチップであり、発光した青色光を蛍光体に当てて白色ＬＥＤを実現する。リフレクタ１１３は、真空蒸着により形成された高輝度反射板であることが好ましい。
【００２８】
また、図２（ｃ）に示すように、ＬＥＤチップ１１２は、１つであってもよい。また、レンズ１１５が取り付けられた構造であってもよい。封止材１１４は、白色ＬＥＤ用蛍光体を分散させた耐紫外性、耐熱性を有するシリコン樹脂を用いることが好ましい。
【００２９】
（ＬＥＤ光源実装基板１２０）
図３は、ＬＥＤ光源実装基板１２０の構成を示す図である。図３（ａ）は、その平面図、図３（ｂ）は、その側面図、図３（ｃ）は、その長手方向の端面からみた正面図である。
【００３０】
図３に示すように、ＬＥＤ光源実装基板１２０は、装置本体１００Ａと同様に長尺状ではあるが、装置本体１００Ａの外形寸法よりは短尺な外部基板である。本実施の形態では、ＬＥＤ光源実装基板１２０は、長尺方向の長さが１０００ｍｍ、長尺方向に直交する幅方向の長さが８０ｍｍ、厚さが約４０ｍｍである。
【００３１】
ＬＥＤ光源実装基板１２０には、複数のＬＥＤ光源１１０が直線状に３列、長手方向に整列配置して取り付けられている。なお、前記図１では、説明の便宜上、ＬＥＤ光源１１０は１列１２個×３列としたが、実装例では、例えば図３の通り１列６５個×３列設置される。また、ＬＥＤ光源実装基板１２０の形状・外形寸法、ＬＥＤ光源１１０の配置個数・配列方法はどのようなものでもよい。
【００３２】
図２及び図３のＬＥＤ光源実装基板の構成は、既存の表面実装型ＬＥＤパッケージをそのまま使用することができる利点がある。既存の表面実装型ＬＥＤパッケージが使用できるので、汎用性があり実施が容易であること、低コスト化が可能である。
【００３３】
図４は、ＬＥＤ光源実装基板の他の構成を示す図である。図４（ａ）は、その平面図、図４（ｂ）は、その基板の一部を示す斜視図、図４（ｃ）は、図４（ｂ）の長手方向の端面からみた正面図である。
【００３４】
図４（ａ）に示すように、本実施の形態の看板用照明装置は、ＬＥＤ光源実装基板２２０−１〜２２０−３を備える。ＬＥＤ光源実装基板２２０−１〜２２０−３は、３枚の基板が同一構成を採るため、ＬＥＤ光源実装基板２２０−１を代表して説明する。図２及び図３と同一構成部分には同一符号を付している。
【００３５】
図４（ｂ）に示すように、ＬＥＤ光源実装基板２２０−１は、表面実装型ＬＥＤパッケージからなり、長尺状の外部基板を構成するキャビティ２１１と、キャビティ２１１に複数実装されたＬＥＤチップ１１２（ひいては複数実装されたＬＥＤ光源１１０）と、キャビティ２１１の内側の面に形成され、ＬＥＤチップ１１２が発光した光を前面に反射するリフレクタ２１３と、キャビティ２１１内を充填する蛍光体含有のシリコン樹脂からなる封止材２１４と、を備える。また、図４（ｃ）に示すように、エポキシやシリコン樹脂あるいはガラスなどからなるレンズ２１５を取り付けてもよい。レンズ２１５を装着することにより指向性を高めることができる。図４では、ＬＥＤチップ１１２は、９個（３×３個）を一組として、長手方向に所定間隔ごとに１０組が実装されている。図４のＬＥＤ光源実装基板の構成は、図２及び図３のＬＥＤ光源実装基板の構成に比べ、ＬＥＤチップをより集積できる利点がある。なお、ＬＥＤ光源実装基板２２０−１のＬＥＤチップ１１２の配置個数・配列方法はどのようなものでもよい。例えば、ＬＥＤチップ１１２を組構成で配置するのではなく、ベアチップを単に整列配置してもよい。このように構成すれば、さらにＬＥＤチップの集積度を上げることができ、単位面積当たりの光量を高めることができる。
【００３６】
（反射板１３０）
反射板１３０は、ＬＥＤ光源１１０からの光を前面側に反射して、照射対象看板の対象領域に集光させる。反射板１３０は、平板形状の反射板であり、ＬＥＤ光源１１０から出た光は反射面１３０ａで１回反射して前記対象領域に照射される。反射板１３０による反射回数は１回であることで、ＬＥＤ光源１１０から出た光の輝度の低下は最小限となっている。なお、反射板１３０は、反射面１３０ａが湾曲形状となっていてもよい。
【００３７】
反射板１３０は、反射面が鏡面仕上げ又は銀蒸着された高光沢圧延アルミニウム板を用いることができる。また、反射面１３０ａを、例えばセラミックコーティングすることで反射特性を維持することができる。
【００３８】
（角度調整部１４０）
角度調整部１４０は、照射対象看板の全照射領域のうち、ＬＥＤ光源１１０側から第１領域までを照射するよう調節する第１調節点と、第１領域を照射しつつ、第１領域の外方の第２領域までを照射するよう調節する第２調節点と、を有する。なお、ここで言う「第１領域の外方の第２領域」とは、照射対象看板の照射領域である第１領域から見て、ＬＥＤ光源から離れた方向に存在する別の照射領域である第２領域のことである。
【００３９】
具体的には、図１に示すように、角度調整部１４０は、装置本体１００Ａの上端部に固定された円筒部材１４１と、円筒部材１４１に回動可能に嵌挿される反射板支持部材１４２と、反射板支持部材１４２を特定の回動角度で円筒部材１４１に固定する位置決め部材１４３と、を備えて構成される。円筒部材１４１と反射板支持部材１４２は、ヒンジ構造となっており、装置本体１００Ａの上端部と反射板１３０とを回動可能に連結する。あるいは、反射板支持部材１４２に代えて、反射板１３０の端部の構造自体が、反射板支持部材１４２と同様の形状に構成されていてもよい。位置決め部材１４３は、反射板１３０の反射角度が特定の回動角度となる位置で反射板支持部材１４２を円筒部材１４１に固定する。具体的には、位置決め部材１４３は、円筒部材１４１に形成された反射板支持部材１４２に連通するネジ穴と、ネジ穴に反射板支持部材１４２に当接するまで螺合されて反射板支持部材１４２を円筒部材１４１に固定する止めネジとからなる。このような構造によって、装置本体１００Ａに対する反射板１３０の反射角度が任意に調整可能になっている。
【００４０】
ここで、角度調整部１４０は、上記特定の回動角度において位置決めを容易にするため、ノッチ部や目印（いずれも図示略）を備えることも可能である。
【００４１】
上記特定の回動角度とは、反射板１３０による反射光が、看板用照明装置１００設置側から外方側に１／ｎ（ｎは、看板の看板面を、ＬＥＤ光源から離れた方向に向かって分割する任意の分割数）単位の面積比で照射されるよう角度調整する回動角度である。上記特定の回動角度を満たすように角度調整された場合、反射板１３０による反射光は、分割された１／ｎ看板面を照射する。すなわち、反射板１３０による反射光は、１／ｎ看板面を照射する一方、１／ｎ看板面以外の看板面については照射しない。また、反射板１３０による反射光は、看板用照明装置１００設置側の１／ｎ看板面から順次、照射される。したがって、看板用照明装置１００設置側と反対側の１／ｎ看板面が照射される場合には、それより内側の１／ｎ看板面も合わせて照射される。また、看板用照明装置１００設置側と反対側の看板の看板面の端部より先には光が照射しないよう角度調整される。
【００４２】
一例を挙げると、看板１０の看板面を、全面（１／１）かその半分（１／２）で使用する場合、（１／２）使用では、反射板１３０による反射光が、看板用照明装置１００設置側から１／２看板面を照らすよう角度調整される。また、１／２看板面から全面（１／１）使用に変更された場合、前記１／２看板面を含む全面（１／１）を照らすよう角度調整される。
【００４３】
以下、上述のように構成された看板用照明装置１００の動作について説明する。
図５は、看板用照明装置１００の反射板１３０の反射角度を説明する要部側面図である。
ＬＥＤ光源実装基板１２０に実装されたＬＥＤ光源１１０の照射角度は、図５の矢印を境界とする前面側の領域である。ＬＥＤ光源１１０からの光は、照射対象看板の看板面を直接照射すると共に、一部の光は反射板１３０に入射する。反射板１３０は、ＬＥＤ光源１１０からの光を照射対象看板側に反射する。
【００４４】
ここで、反射板１３０は、角度調整部１４０により光の反射角度が任意の角度に調整される。角度調整部１４０は、照射対象看板のサイズ、又は看板面の使用範囲に合わせて、前記特定の回動角度を満たすように角度調整する。具体的には、図５の白抜き矢印の向きに、角度調整部１４０は反射板支持部材１４２を回動し、前記特定の回動角度のところで位置決め部材１４３により反射板支持部材１４２を固定する。
【００４５】
図５破線に示すように、反射板１３０を開方向（図５では時計回り）に回動させると、ＬＥＤ光源１１０からの光は、反射板１３０の反射面１３０ａに、より小さい入射角度で入射する。その結果、ＬＥＤ光源１１０からの光は、看板用照明装置１００設置側からより離れた方向に反射される。例えば、図５ａ．に示す光に着目すると、反射板１３０が看板１０に近づくよう回動している場合（即ち閉方向にある場合）のときは、反射面１３０ａで図５ｂ．に示す方向に反射される。そして、反射板１３０を開方向（閉方向とは逆の方向）に回動させると、図５ａ．に示すＬＥＤ光源１１０からの光は、反射面１３０ａで図５ｃ．に示す方向に反射される。すなわち、図５ａ．に示すＬＥＤ光源１１０からの光は、角度調整部１４０による反射板１３０の回動によって、図５ｂ．に示す方向又は図５ｃ．に示す方向に反射角度が変更される。後述する図７を用いて言うと、既存看板である上側の看板面２２Ａを照射する際には、反射板１３０を閉方向に回動させておき、反射面１３０ａで図５ｂ．に示す方向に光を反射させる。一方、看板面２２Ａの下方に新規看板である下側の看板面２２Ｂを増設する場合、看板面２２Ａに加え看板面２２Ｂも照射すべく、反射板１３０を開方向に回動させ、反射面１３０ａで図５ｃ．に示す方向に光を反射させる。
【００４６】
図６は、看板用照明装置１００の使用方法を説明する側面図である。なお、説明の便宜上、看板用照明装置１００は、看板１０に対して大きく描かれている。
【００４７】
図６に示すように、看板用照明装置１００は、看板１０の上端／下端のいずれか一方側、又は左端／右端のいずれか一方側（図６では、上端部側）に沿ってやや上方位置に配置される。
【００４８】
図６に示すように、反射板１３０が閉方向に回動している場合、ＬＥＤ光源１１０からの光は、反射板１３０の反射面１３０ａで反射して、看板用照明装置１００設置側の看板面のより狭い範囲を照射する。角度調整部１４０は、前記特定の回動角度を満たすように角度調整することによって、ＬＥＤ光源１１０からの光を、看板１０の看板面のうち、所望の領域の看板面に照射させることができる。
【００４９】
また、図６破線に示すように、角度調整部１４０は、反射板１３０を開方向に角度調整することによって、ＬＥＤ光源１１０からの光を、看板用照明装置１００設置側からより離れた看板面まで照射することができる。
【００５０】
図７は、看板用照明装置１００の使用方法を説明する正面図、図８は、図７の側面図である。
【００５１】
図７及び図８に示すように、看板用照明装置１００は、屋外広告看板２０の上端部に４基、長手方向に連設して配置される。看板用照明装置を複数連設することで、照射対象看板全体を照射自在としている。なお、看板用照明装置１００は、屋外広告看板２０の上端部に沿ってやや上方位置に配置され、図示しない取り付け金具により取り付け固定される。
【００５２】
屋外広告看板２０は、例えば屋外広告塔として使用される。屋外広告看板２０は、支柱２１ａ、脚部２１ｂ及び土台２１ｃからなる構造体２１に取付・固定されている。一般に、屋外広告看板２０は、看板面が１面単位で期間賃貸される。また、１面あたりのサイズも規格化されている場合が多い。図７及び図８に示す屋外広告看板２０には、上側に看板面２２Ａが１面、下側に看板面２２Ｂが１面、設けられており、上下にわたって２面からなる看板面２２が設けられている。屋外広告看板２０の１面あたりの寸法は、例えば横幅（水平方向）が４０００ｍｍ、縦（天地方向即ち高さ）が３０００ｍｍであり、屋外広告看板２０には横４０００ｍｍ縦６０００ｍｍ寸法の看板面２２が形成されている。つまり、本実施形態で扱う屋外広告看板２０は大型看板であり、少なくとも上記第１領域及び上記第２領域に配置されるのは別々の看板である。
【００５３】
その一方、看板用照明装置１００は、長尺方向の長さが例えば１０００ｍｍであり、従って屋外広告看板２０の上端部に４基連設することで、看板面２２の全面を照明することができる。ここで、本実施の形態に係る看板用照明装置１００は、看板面２２の縦（高さ）が６０００ｍｍあっても後述するように看板面２２の下端まで十分な光量の光が届く。このため、屋外広告看板２０の上端部にのみ設置しても構わない。同様の理由で、看板用照明装置１００は、看板面２２の左右端のいずれにも設置せずとも構わない。
【００５４】
なお、屋外広告看板２０の天地（看板高さ）は、３０００ｍｍ、６０００ｍｍで規格化されており、このうち天地６０００ｍｍは標準サイズとされる。標準サイズ６０００ｍｍの場合、その横幅は４０００ｍｍ、８０００ｍｍ、１２０００ｍｍ、１８０００ｍｍが多い。例えば、標準サイズ８０００ｍｍ（横幅）×６０００ｍｍ（天地）の場合、上記の看板用照明装置１００を、屋外広告看板２０の上端部に８基、長手方向（水平方向）に連設して配置した看板用照明装置１００を用いる。
【００５５】
（使用方法１）
屋外広告看板２０の看板面２２は、例えば上部の看板面２２Ａと下部の看板面２２Ｂとに分けて使用することが可能である。看板面２２Ａと看板面２２Ｂとの境界部分は、図７の二点鎖線に示されている。
【００５６】
屋外広告看板２０の看板面２２のうち、看板面２２Ａのみが既存の広告看板として使用されているとする。この場合、角度調整部１４０は、反射板１３０を閉方向に回動することで、特定の回動角度となるよう角度調整する。
【００５７】
夜間などでＬＥＤ光源１１０が通電されると、ＬＥＤ光源１１０は発光し、発光した光の一部は、看板面２２Ａを直接照射するとともに、反射板１３０の反射面１３０ａで反射して、看板面２２Ａを照射する。反射板１３０は、閉方向にある特定の回動角度のところで角度調整されているので、図８実線矢印に示すように、ＬＥＤ光源１１０からの光は、ほとんどが看板面２２Ａを照射する。すなわち、反射板１３０の反射角度の調節によって、屋外広告看板２０の看板面２２のうち、看板用照明装置１００設置側の看板面２２Ａが主に照射されることになる。
【００５８】
（使用方法２）
図７に示すように、看板面２２Ａに加えて、看板面２２Ｂが新たに広告看板として使用される場合について説明する。看板面２２において広告看板を増設した場合、角度調整部１４０は、反射板１３０を開方向に回動することで、特定の回動角度となるよう角度調整する。
【００５９】
ＬＥＤ光源１１０からの光は、看板面２２Ａ及び看板面２２Ｂ（すなわち看板面２２全面）を直接照射するとともに、反射板１３０の反射面１３０ａで反射して、看板面２２Ａ及び看板面２２Ｂを照射する。反射板１３０は、開方向である特定の回動角度のところで角度調整されているので、図８破線矢印に示すように、ＬＥＤ光源１１０からの光は、看板面２２全面を照射する。このように、反射板１３０の反射角度の調節によって、屋外広告看板２０の看板面２２全面が照射されることになる。ここで、看板面２２Ｂ側（特に看板面２２Ｂの下端側）は、看板用照明装置１００の設置位置から離れているが、ＬＥＤ光源１１０の光線の直進性が高いため、看板面２２Ｂの下端側まで十分な光量で照射することができる。
【００６０】
このように、角度調整部１４０は、屋外広告看板２０の看板面２２を、看板面２２Ａと看板面２２Ｂとに上下二分割して使用する場合、まず、看板用照明装置１００設置側の看板面２２Ａを照射するように反射板１３０の反射角度を調整する。看板面２２Ｂに広告看板を増設する場合、看板面２２Ａを含む看板面２２Ｂ（すなわち看板面２２全面）を照射するように反射板１３０の反射角度を調整する。逆に、屋外広告看板２０の看板面２２から広告看板を減らす場合、看板用照明装置１００設置側の看板面２２Ａを照射するように反射板１３０の反射角度を調整する。したがって、看板面２２Ｂの使用の有無にかかわらず、看板面２２ＡにはＬＥＤ光源１１０からの光が照射されることになる。一般に、看板広告は上下分割で使用する場合、上部の広告看板がより広告効果が高いとされ、優先されることに依る。なお、看板面２２Ｂの広告看板を残し、看板面２２Ａの広告看板は取り去ることもありうる。この場合、看板面２２Ａに広告がないことになるが、広告スペースに空きがあることを知らせる点で無意味ではない。なお、看板面２２Ｂのみを照射するように、装置本体１００Ａの設置位置を変更するようにしてもよい。
【００６１】
図９は、本実施の形態に係る看板用照明装置と従来の照明装置とを対比して示す模式図である。図９（ａ）の一点鎖線の右側が本実施の形態に係る看板用照明装置、その左側が従来の照明装置、図９（ｂ）は本実施の形態に係る看板用照明装置の側面図、図９（ｃ）は従来の照明装置の側面図である。
【００６２】
図９（ｃ）に示すように、従来の照明装置４０は、水銀ランプ等の光源ランプ４１を屋外広告看板３０の上端部及び下端部に複数配置する。複数の光源ランプ４１は、それぞれ支持アーム４２の先端に装着され、屋外広告看板３０の看板面を前方から照射する。光源ランプ４１は、ランプの形状が丸形スポットであるため、看板面に丸い斑点５１が映り込んでしまうという欠点がある。また、屋外広告看板３０の看板面を均一に照らすためには、図９（ｃ）に示すように、光源ランプ４１を、看板面から前方にかなり（２ｍ〜２．５ｍ）突出させる必要がある。光源ランプ４１が支持アームにより看板面の前方に突出しているので、美観を損ねるばかりかランプの取り替えに手間がかかる欠点があるばかりでなく、看板面から突出す距離が長いために敷地境界を越えて道路や隣地に越境することが非常に多い。また、図９（ｃ）に示すように、屋外広告看板３０が縦長看板の場合、光源から遠い看板面において光量が不足して暗い領域５２が生じる。さらに、水銀ランプ等の光源ランプ４１は、３６０度に発光することなどから発光した光のうち３０〜４０％が看板面以外へ漏れ、電力ロスが多い。なお、水銀ランプは、ランプ寿命が１２０００時間とされており２〜３年でランプ交換を要する。
【００６３】
上記不具合に加え、照明装置４０は、屋外に設置される環境下にあることから、ハトやカラスなど鳥類の糞公害（糞汚染）は避けられない。特に、屋外広告看板３０の下端部に配置した光源ランプ４１については、ランプが上方に開口していることから、雨水や塵埃、上記糞が溜まり易く大きな問題となっている。対策として、照明装置４０にピン状の鳥類よけ装置を取り付ける、ランプ開口部を透明カバーで覆うなどがあるが、照明効率の低下と保守の手間の増大は避けられない。
【００６４】
これに対して、本実施の形態に係る看板用照明装置１００は、以下の特徴を有する。
図９（ａ）（ｂ）に示すように、看板用照明装置１００は、屋外広告看板３０の上端部のみに複数配置する。また、図９（ｂ）に示すように、看板用照明装置１００は、看板面からせいぜい５００ｍｍ突出した箇所に設置可能となり、省スペース化を図ることができる。
【００６５】
上記配置が可能である理由について説明する。看板用照明装置１００のＬＥＤ光源１１０は、光線の直進性が高く、光が前方向に直進する。すなわち、看板用照明装置１００は、光線の直進性が高いＬＥＤ光源１１０を用いることによって、光源から遠いところでも光が届き、輝度を維持することができる。したがって、看板用照明装置１００は、屋外広告看板３０の上端部のみに、かつ低い高さで設置することができ、美観を損ねることがなくメンテナンス作業も容易である。また、ＬＥＤ光源１１０の寿命は、４万〜６万時間とされておりＬＥＤ光源１１０の交換作業自体が不要となる。または、ＬＥＤ光源１１０の寿命が大幅に延長される。
【００６６】
また、看板用照明装置１００は、複数のＬＥＤ光源１１０がＬＥＤ光源実装基板１２０（図１及び図３参照）上に整列配置されていることで、看板用照明装置１００の発光面はほぼ面発光状態となっている。このような面発光でかつ直進性の高いＬＥＤ光源１１０の光が、屋外広告看板３０の看板面に直接、又は反射板１３０の反射面１３０ａ（図１参照）で反射して照射される。このため、従来例のようなスポット光源による斑点の発生、また光量不足による暗い領域の発生はなく、均一で明るい照明を得ることができる。
【００６７】
さらに、ＬＥＤ光源１１０は、光線の直進性が高いので、直接光又は反射光を精度よく所望の看板面に照射させる光制御性に優れている。電力消費の観点からみると、発光した光の大部分を看板面に照射することができ、電力ロスを少なくすることができる。また、ＬＥＤ光源１１０は、水銀ランプに比べ、同じ明るさを得る場合、消費電力が約１／３以下であり、この点からも消費電力を削減することができる。
【００６８】
さらに、図９（ａ）（ｂ）に示すように、看板用照明装置１００は、光源から遠いところでも輝度を維持することができるので、屋外広告看板３０の上端部にのみ設置しても構わない。鉄パイプ等の支持部材の使用量を削減することができる。しかも、看板用照明装置１００は、屋外広告看板３０の上端部に設置されるため、照明のための開口部は、下向きとなっている。以上のことから、看板用照明装置１００は、鳥類の糞公害、雨水や塵埃の流入に対してこれらを未然に防ぐ構造となっている。なお、装置本体１００Ａ（図１参照）の上部及び背面に、ピン状（剣山状）の鳥類よけ装置（図示略）を取り付けてもよい。このように構成すれば、ハトやカラスなどを装置本体１００Ａの上部及び背面に止まれなくすることができ、鳥類の糞公害をより一層排除することができる。このような鳥類よけ装置を設置したとしても、ＬＥＤ光源１１０からの光が遮られることはない。装置本体１００Ａの上部及び背面に取り付けられた鳥類よけ装置は、ＬＥＤ光源１１０で発生した熱を外部へ放射するヒートシンクとして利用することもできる。
【００６９】
以上詳細に説明したように、本実施の形態によれば、看板用照明装置１００は、複数のＬＥＤ光源１１０が長手方向に整列配置された横長のＬＥＤ光源実装基板１２０と、ＬＥＤ光源１１０からの光を前面側に反射する反射板１３０と、装置本体１００Ａの上端部に沿って設けられ、前方に突出した反射板１３０を回動可能に支持すると共に、反射板１３０が反射する光の反射角度を調整する角度調整部１４０と、を備える。角度調整部１４０は、照射対象看板の全照射領域のうち、ＬＥＤ光源１１０側から第１領域までを照射するよう調節する第１調節点と、第１領域を照射しつつ、第１領域の外方の第２領域までを照射するよう調節する第２調節点と、を有する。
【００７０】
このような構成により、看板用照明装置１００は、光線の直進性が高いＬＥＤ光源１１０を用いることによって、光源から遠いところでも輝度を維持することができ、屋外広告看板の上端部のみに、かつ低い高さで設置することができる。美観を損ねることがなくメンテナンス作業も容易である。また、従来の水銀ランプのようなスポット光源による斑点の発生、また光量不足による暗い領域の発生はなく、均一で明るい照明を得ることができる。また、発光した光の大部分を看板面に照射することができ、電力ロスを少なくすることができる。
【００７１】
特に、看板用照明装置１００は、反射板１３０が反射する光の反射角度を調整する角度調整部１４０を備えているので、照射対象看板の看板面の使用状態に合わせて、比較的簡素な手法にて、発生した光を効率よく当該看板面に照射するように設定することができ、無駄なエネルギの消費をなくすことができる。すなわち、従来は、水銀ランプを支持アームに取り付けた照明装置であったため、構造上、広告看板の増設等の変更に対応することは困難であった。これに対して、本実施の形態では、看板面において広告看板を増設、又は減設した場合であっても、ＬＥＤ光源１１０からの光を効率よく当該看板面に照射することができる。屋外広告看板においては、広告看板の増設等の変更は、しばしば発生するので看板用照明装置として使用して好適である。
【００７２】
（実施の形態２）
実施の形態１では、看板用照明装置１００は、ＬＥＤ光源に表面実装型ＬＥＤパッケージを用いていた。
実施の形態２は、無機化蛍光体層とベアチップとの間に発光体側真空断熱層を備えるＬＥＤ光源を用いる看板用照明装置について説明する。
【００７３】
図１０は、本発明の実施の形態２に係る看板用照明装置の構成を示す斜視図である。図１０（ａ）は、その平面図、図１０（ｂ）は、その側面の断面図、図１０（ｃ）は、図１０（ａ）のＡ−Ａ矢視断面である。
【００７４】
図１０に示すように、本実施の形態に係る看板用照明装置は、図１の看板用照明装置１００のＬＥＤ光源１１０及びＬＥＤ光源実装基板１２０に代えて、発光装置３００を備える。なお、図示は省略するが、本実施の形態に係る看板用照明装置は、図１の看板用照明装置１００の装置本体１００Ａの上部に設置された反射板１３０と、反射板１３０が反射する光の反射角度を調整する角度調整部１４０と、を備える。
【００７５】
発光装置３００は、複数のＬＥＤ光源３１０が長手方向に整列配置された横長のＬＥＤ光源実装基板３２０と、ＬＥＤ光源実装基板３２０上のＬＥＤ光源３１０を覆い、ＬＥＤ光源３１０から発せられる光により励起されると当該光と異なる波長の光を発する無機化蛍光体層３３０と、無機化蛍光体層３３０とＬＥＤ光源３１０との間に形成された発光体側真空断熱層３４０と、無機化蛍光体層３３０の外側を覆い、外部からの紫外光の侵入を阻止する真空耐圧ＵＶカットガラス３５０と、真空耐圧ＵＶカットガラス３５０と無機化蛍光体層３３０との間に形成されたガラス側真空断熱層３６０と、を備える。
【００７６】
ＬＥＤ光源３１０は、ＬＥＤベアチップである。ＬＥＤ光源３１０は、ＬＥＤ光源実装基板３２０の長手方向と幅方向の２方向に整列配置され、面状に発光する。ＬＥＤ光源３１０は、青色光を発し、例えばピーク波長が４６０ｎｍである。ＬＥＤ光源３１０は、エポキシ樹脂、シリコン等の透明樹脂３１１により封止されている。この透明樹脂３１１には、蛍光体が含有されておらず、ＬＥＤ光源３１０から発せられた光をそのまま透過する。
【００７７】
ＬＥＤ光源実装基板３２０は、例えばセラミックからなり、放熱部材としての機能を有する。ＬＥＤ光源実装基板３２０は、内側にＬＥＤ光源３１０から発せられる光を所定方向へ反射するリフレクタ３２１と、外側に放熱用のヒートシンク３２２と、を備える。なお、発光装置３００は、真空耐圧ＵＶカットガラス３５０からヒートシンク３２２先端までの厚みが５０ｍｍである（図１０（ｂ）参照）。また、ＬＥＤ光源実装基板３２０は、長尺方向の長さが１０００ｍｍ、幅が８０ｍｍである（図１０（ａ）参照）。
【００７８】
無機化蛍光体層３３０は、例えばガラス等の透明材からなり、蛍光体を含有している。無機化蛍光体層３３０に用いるガラスとしては、低融点のガラスが好ましい。無機化蛍光体層３３０をガラスでなく、繊維強化プラスチック（ＦＲＰ：Ｆｉｂｅｒ  Ｒｅｉｎｆｏｒｃｅｄ  Ｐｌａｓｔｉｃｓ）等の他の透明材により形成することもできる。この蛍光体は、ＬＥＤ光源３１０から発せられる光により励起されると、当該光と異なる波長の光を発する。本実施の形態においては、ＬＥＤ光源３１０は、青色光により励起されると黄色光を発する黄色蛍光体であり、例えばＹＡＧ（Ｙｔｔｒｉｕｍ  Ａｌｕｍｉｎｉｕｍ  Ｇａｒｎｅｔ）、ケイ酸塩系等が用いられる。
【００７９】
発光体側真空断熱層３４０は、空気等の気体を大気圧より減圧することにより形成される。ここでいう「真空」とは、完全に物質が存在しない状態を言うのではなく、断熱作用を有する程度に気体が減圧された状態をいう。発光体側真空断熱層３４０の内部の圧力は、１Ｐａ（パスカル）以下が好ましく、１０−５Ｐａ以下がさらに好ましく、より好ましくは１０−９Ｐａ以下である。
【００８０】
真空耐圧ＵＶカットガラス３５０は、外部からの紫外光の侵入を阻止する。紫外光により蛍光レンズが劣化することを防止することができる。
【００８１】
以上の構成において、ＬＥＤ光源３１０に電圧を印加すると、ＬＥＤ光源３１０から青色光が発せられ、青色光が直接的又は間接的に無機化蛍光体層３３０へ入射する。青色光のうち、リフレクタ３２１方向へ出射したものは、リフレクタ３２１により反射されて無機化蛍光体層３３０へ間接的に入射する。無機化蛍光体層３３０へ入射した青色光の一部は、含有される蛍光体により黄色光に変換され、無機化蛍光体層３３０から外部へは青色光と黄色光の混合光が放射される。このとき、無機化蛍光体層３３０の表面にて混合光が光学制御され、所期の方向へ混合光が放射される。このようにして、発光装置３００から白色光が放射される。
【００８２】
ここで、ＬＥＤ光源３１０により生じた熱は、その殆どがＬＥＤ光源実装基板３２０側へ伝達され、無機化蛍光体層３３０側へは殆ど伝達せず、無機化蛍光体層３３０に含有された蛍光体の劣化を抑制することができる。
放熱部材であるＬＥＤ光源実装基板３２０が板状であるので、放熱面積を大きくすることが容易であり、放熱性能を向上させることができ、装置を薄型化することができる。
【００８３】
なお、ＬＥＤ光源３１０の発光波長、材質等も任意に変更することができる。例えば、ＬＥＤ光源３１０が紫外光を発するものとし、無機化蛍光体層３３０に紫外光により励起される青色蛍光体、緑色蛍光体及び赤色蛍光体を含有させたものであってもよい。また、蛍光体を含有させずに、互いに異なる発光波長を有する複数種類のＬＥＤ光源３１０の組合せにより白色光を得るものであってもよい。このように、看板用照明装置に用いて好適な発光装置３００が提供される。
【００８４】
このように、本実施の形態によれば、本看板用照明装置は、発光装置３００を備え、発光装置３００は、ＬＥＤ光源３１０を面状に発光させることができるので、発光面積を大きくして高輝度化を図ることができる。また、無機化蛍光体層３３０の劣化を抑制することができるので、熱に強く、発光体に大電流を流すことが可能となる。さらに、ＬＥＤ光源実装基板３２０が板状であるので、放熱面積を大きくして薄型化することができる。
【００８５】
（実施の形態３）
図１１は、本発明の実施の形態３に係る看板用照明装置の構成を示す要部側面図である。図１と同一構成部分には同一符号を付して重複箇所の説明を省略する。
【００８６】
図１１に示すように、看板用照明装置４００は、長尺状の装置本体４００Ａと、装置本体４００Ａの前面側（照射対象看板側）に取り付けられ、複数のＬＥＤチップ４１２が長手方向に整列配置された横長のＬＥＤ光源実装基板４２０と、ＬＥＤ光源実装基板４２０上のＬＥＤ光源４１０を覆う拡散板４３０と、ＬＥＤ光源４１０からの光を前面側に反射する反射板１３０と、装置本体４００Ａの上端部に沿って設けられ、前方に突出した反射板１３０を回動可能に支持すると共に、反射板１３０が反射する光の反射角度を調整する角度調整部１４０と、を備えて構成される。
【００８７】
ＬＥＤ光源実装基板４２０は、表面実装型ＬＥＤパッケージからなり、長尺状の外部基板を構成するキャビティ４１１と、キャビティ４１１に複数実装されたＬＥＤチップ４１２と、キャビティ４１１の内側の面に形成され、ＬＥＤチップ４１２が発光した光を前面に反射するリフレクタ４１３と、キャビティ４１１内を充填する蛍光体含有のシリコン樹脂からなる封止材４１４と、を備える。なお、ＬＥＤ光源実装基板４２０のＬＥＤチップ４１２の配置個数・配列方法はどのようなものでもよい。
【００８８】
拡散板４３０は、表面に異形拡散パターンが形成され、光の拡散角度を変える異形拡散レンズである。拡散板４３０は、複数実装されたＬＥＤチップ４１２からの光を集光・拡散する。拡散板４３０は、例えば各ＬＥＤチップ４１２からの分離した光を、面全体を照らすフラット光源に変換する。拡散板４３０は、ＬＥＤ光源実装基板４２０の幅方向に、より拡散するような拡散角度を有することが好ましい。ＬＥＤチップ４１２からの光をＬＥＤ光源実装基板４２０の幅方向に拡散することで、看板面をより効率良く光照射することができる。その結果、ＬＥＤチップ４１２の個数の削減が可能になる。
【００８９】
以上の説明は本発明の好適な実施の形態の例証であり、本発明の範囲はこれに限定されることはない。
例えば、角度調整部１４０は、照射対象看板の全照射領域のうち、ＬＥＤ光源１１０側から第１領域までを照射するよう調節する第１調節点と、第１領域を照射しつつ、第１領域の外方の第２領域までを照射するよう調節する第２調節点と、を有するものであれば、回動部材であることには限定されない。すなわち、反射板１３０の反射角度が、特定の回動角度において、任意に調整できるものであればどのような構成でもよい。
【００９０】
また、角度調整部１４０は、駆動装置を備え、例えば、有線又は無線通信によって角度調整を遠隔操作で行うシステムであってもよい。
【００９１】
また、角度調整部１４０による角度調整に合わせて、ＬＥＤ光源の発光量を制御するようにしてもよい。例えば、角度調整部１４０が照射対象看板の全照射領域を照射するように角度調整する場合、ＬＥＤ光源の光量を上げるようにしてもよく、より明るく照らすことができる。
【００９２】
また、上記の実施形態における角度調整部１４０では、反射板１３０による反射光が、看板用照明装置１００設置側から下方側に１／ｎ単位の面積比で照射されるよう角度調整した。それに伴い、照射領域も、看板用照明装置１００設置側から下方側に１／ｎ単位の面積比にて照射対象看板の全照射領域を分割して設定しても構わない。例えば、ｎが３の場合、照射対象看板の全照射領域を天地方向に３分割し、上方から第１領域、第２領域、第３領域とする。つまり、第１領域、第２領域に加え、第３領域等、さらなる領域を設定しても構わない。それと共に、調節手段においても、第１の調節点、第２の調節点に加え、第３の調節点等、さらなる調節点を設定しても構わない。
【００９３】
また、ＬＥＤ光源についてであるが、上記の実施形態においては、ＬＥＤ光源を長尺方向に複数配列したＬＥＤ光源実装基板を用いた例について挙げた。そして、この長尺なＬＥＤ光源実装基板に対し、１つの反射板を用いる例について挙げた。その一方、各ＬＥＤ光源に対し、反射板を設けても構わない。つまり、図２に示すＬＥＤ光源１１０のパッケージ構造各々に対して反射板を各々設けた構成であっても構わない。また、調節手段に関しても、上記の実施形態のように、長尺なＬＥＤ光源実装基板に対し、１つの調節手段を用いても構わないし、各ＬＥＤ光源に設けられた反射板に対して調節手段を各々設けても構わない。
【００９４】
また、看板用照明装置に設けられた複数の反射板を別々に回動させるのではなく、複数の反射板を一律に回動させるようにしても良い。例えば、広告看板を増設、又は減設する際に、遠隔操作により調節手段を操作して、反射板の回動角度を一律に変更しても良い。また、手動で反射板を一律に回動させる場合は、複数の反射板を連結させた上で、看板用照明装置の左右端部に位置する反射板（即ち作業者が作業しやすい位置）の調節手段を操作するだけで複数の反射板（好ましくは全ての反射板）を一律に回動させるという構成を採用しても良い。ひいては、角度調整部や反射板支持部材を一律に回動させるという構成を採用しても良い。従来だと、広告看板を増設、又は減設する場合、従来の水銀ランプだと、水銀ランプの位置や角度を一つ一つ調整しなければならなかった。しかしながら上記の構成を採用すれば、上記の実施形態で述べた効果を奏することが可能なうえ、作業者の負担を飛躍的に減らすことが可能となる。
【００９５】
また、上記各実施の形態では、看板用照明装置という名称を用いたが、これは説明の便宜上であり、照明装置、照明器具等であってもよい。また、看板という名称は、便宜上ものであり、例えば外壁面そのものを照明してもよい。
【００９６】
また、上記看板用照明装置を構成する各部、例えばＬＥＤ光源及び反射板の種類、その数及び接続方法などはどのようなものでもよい。また、照射対象看板は、円形看板などどのようなものでもよく、これらの看板に対して看板用照明装置が、例えば左端又は右端などどのように配置されてもよい。
【００９７】
また、上記看板用照明装置は、屋外に設置される看板に対して用いられるものでなくとも構わない。例えば、大型施設内に設置された大型看板に対しても十分、上記の効果を奏する。それに加え、上記看板用照明装置は、比較的小型の看板（例えば、天地方向の高さ６０００ｍｍ未満、横幅４０００ｍｍ未満の寸法を有する看板）であっても適用可能である。ただ、図７や図８のように、上側と下側両方に看板面がある看板に対して、本発明は特に効果を発揮する。上述の通り、一般に、看板広告は上下分割で使用する場合、上部の広告看板がより広告効果が高いとされ、優先される。いずれにせよ看板用照明装置の光源は、少なくとも上側の看板面を照射するように角度設定されている。そして、下側の看板面が増設されることになり、上側と下側両方の看板面を照射することになった場合、本発明は特に効果を発揮する。
【符号の説明】
【００９８】
１０  看板
２０、３０  屋外広告看板
１００、４００  看板用照明装置
１００Ａ、４００Ａ  装置本体
１１０、４１０  ＬＥＤ光源
１２０、２２０−１〜２２０−３  ＬＥＤ光源実装基板
１３０  反射板
１３０ａ  反射面
１４０  角度調整部１４０
３００  発光装置
３１０  ＬＥＤ光源
３２０  ＬＥＤ光源実装基板
３３０  無機化蛍光体層
３４０  発光体側真空断熱層
３５０  真空耐圧ＵＶカットガラス
３６０  ガラス側真空断熱層
４００  拡散板
【図１】
2014002259.tif 000003
【図２】
2014002259.tif 000004
【図３】
2014002259.tif 000005
【図４】
2014002259.tif 000006
【図５】
2014002259.tif 000007
【図６】
2014002259.tif 000008
【図７】
2014002259.tif 000009
【図８】
2014002259.tif 000010
【図９】
2014002259.tif 000011
【図１０】
2014002259.tif 000012
【図１１】
2014002259.tif 000013
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
照射対象看板の外縁部に配置するための看板用照明装置であって、
装置本体と、
長尺状に複数配置されたＬＥＤ光源と、
前記ＬＥＤ光源が発光した光を前記照射対象看板側に反射する反射板と、
前記反射板により反射された反射光を、前記照射対象看板の所定領域面に照射するように調節する調節手段と、を備え、
前記調節手段は、前記装置本体に設けられており、且つ、
前記照射対象看板において前記ＬＥＤ光源からの直接光及び前記反射板により反射された反射光により照射される全照射領域のうち、前記ＬＥＤ光源側から第１領域までを反射光により照射するよう調節する第１調節点と、
前記全照射領域のうち、前記ＬＥＤ光源側から前記第１領域の外方の第２領域までを反射光により照射するよう調節する第２調節点と、を有し、
前記調節手段は、前記第１調節点と前記第２調節点との間の切り替えにおいて前記反射板を回動させることにより前記反射板が反射する光の反射角度を調整する構成を有していることを特徴とする看板用照明装置。
【請求項２】
前記装置本体は長尺状であり、
前記ＬＥＤ光源は、前記装置本体に取り付けられており、
前記調節手段は、前記反射板を回動可能に支持するものであり、
前記調節手段は、前記装置本体に固定された円筒部材と、前記反射板を前記円筒部材に回動可能に支持する反射板支持部材と、前記第１調節点及び前記第２調節点となる特定の回動角度において、前記反射板支持部材を前記円筒部材に固定する位置決め部材と、を備えることを特徴とする請求項１に記載の看板用照明装置。
【請求項３】
前記調節手段は、反射光が照射される領域の面積が前記ＬＥＤ光源側から外方側に１／ｎ（ｎは任意の自然数）単位で増加するよう調整する構成を有していることを特徴とする請求項１又は２に記載の看板用照明装置。
【請求項４】
前記看板用照明装置は、前記照射対象看板の上端部に配置するためのものであり、
前記第１領域の下方に前記第２領域が存在することを特徴とする請求項１ないし３のいずれかに記載の看板用照明装置。
【請求項５】
前記照射対象看板は、天地方向の高さ６０００ｍｍ以上、横幅４０００ｍｍ以上の寸法を有する大型看板であり、且つ、少なくとも前記第１領域及び前記第２領域に配置されるのは別々の看板であることを特徴とする請求項４に記載の看板用照明装置。
【請求項６】
前記ＬＥＤ光源は、
複数のベアチップが長手方向に整列配置された横長のベアチップ実装基板と、
前記ベアチップ実装基板上のベアチップを覆い、該ベアチップから発せられる光により励起されると当該光と異なる波長の光を発する無機化蛍光体層と、
前記無機化蛍光体層と前記ベアチップとの間に形成された発光体側真空断熱層と、
前記無機化蛍光体層の外側を覆い、外部からの紫外光の侵入を阻止するＵＶカット部材と、
前記ＵＶカット部材と前記無機化蛍光体層との間に形成されたカット部材側真空断熱層と、を備えることを特徴とする請求項１ないし５のいずれかに記載の看板用照明装置。
【請求項７】
前記装置本体は、ピン状の鳥類よけ装置を備えることを特徴とする請求項１ないし６のいずれかに記載の看板用照明装置。